(57)【要約】【課題】  音素文字により表わされる文章を容易に作成する。【解決手段】  折りたたみ式携帯端末２０は、情報を表示するディスプレイ２８と、アルファベットで表わす単語を記憶するメモリ２６の第１の領域と、単語の少なくとも一部をアルファベットで受付ける入力キー部２４と、メモリ２６の第１の領域から検索単語を検索し、かつ単語を表示するようにディスプレイ２８を制御する制御部２２と、ディスプレイ２８が表示した文字列を文書の一部として記憶するメモリ２６の第２の領域とを含む。【選択図】        図１
2006171879.tif 000002
【特許請求の範囲】
【請求項１】
情報を表示するための表示手段と、
音素文字で表わす単語を記憶するための第１の記憶手段と、
単語の少なくとも一部を音素文字で受付けるための第１の受付手段と、
前記第１の受付手段が単語の一部を受付けると、前記第１の記憶手段が記憶した単語を音素文字で表わす文字列を表示するように、前記表示手段を制御するための第１の制御手段と、
前記表示手段が表示した文字列を文書の一部として記憶するための第２の記憶手段とを含む、文書の受付装置。
【請求項２】
前記文書の受付装置は、前記第１の記憶手段が記憶した単語から、前記第１の受付手段が受付けた単語の一部を語頭のつづりとする検索単語を検索するための検索手段をさらに含み、
前記第１の制御手段は、前記第１の記憶手段が記憶した単語のうち、前記検索単語を表わす文字列を表示するように、前記表示手段を制御するための手段を含む、請求項１に記載の文書の受付装置。
【請求項３】
前記文書の受付装置は、
前記第１の受付手段が受付けた単語の一部を語頭のつづりとする単語を前記第１の記憶手段が記憶する場合、前記単語を表示できる旨を表示するように、前記表示手段を制御するための第２の制御手段と、
ユーザの指示を受付けるための第２の受付手段とをさらに含み、
前記第１の制御手段は、前記第１の受付手段が単語の一部を受付けると、単語を表示させる旨の指示を前記第２の受付手段が受付けた後に、前記検索単語を表わす文字列を表示するように、前記表示手段を制御するための手段を含む、請求項２に記載の文書の受付装置。
【請求項４】
前記第１の記憶手段は、前記表示手段が表示した時期に対応付けて前記単語を記憶するための手段を含み、
前記第１の制御手段は、前記検索単語を表わす文字列を、前記表示手段が表示した時期に対応する順序で表示するように、前記表示手段を制御するための手段を含む、請求項３に記載の文書の受付装置。
【請求項５】
前記文書の受付装置は、
ユーザの指示を受付けるための第２の受付手段と、
前記検索手段が検索した単語のいずれかを選択する旨の指示を前記第２の受付手段が受付けると、前記指示に対応する単語および区切りを表わす文字列を表示するように、前記表示手段を制御するための第３の制御手段とをさらに含み、
前記第２の記憶手段は、前記表示手段が表示する文字列のうち、前記指示に対応する単語および区切りを表わす文字列を文書の一部として記憶するための手段を含む、請求項２に記載の文書の受付装置。
【請求項６】
前記文書の受付装置は、前記第１の受付手段が受付けた単語を表示するように、前記表示手段を制御するための第４の制御手段をさらに含み、
前記第２の記憶手段は、前記第１の受付手段が単語を受付けると、所定の処理の後に、前記表示手段が表示した文字列のうち、前記第１の受付手段が受付けた単語を表わす文字列を記憶するための手段を含む、請求項１に記載の文書の受付装置。
【請求項７】
前記文書の受付装置は、ユーザの指示を受付けるための第２の受付手段をさらに含み、
前記所定の処理は、入力する単語を決定する旨の指示を前記第２の受付手段が受付ける処理を含む、請求項６に記載の文書の受付装置。
【請求項８】
前記入力する単語を決定する旨の指示は、入力した単語にスペースを追加する旨の指示を含む、請求項７に記載の文書の受付装置。
【請求項９】
前記入力した単語にスペースを追加する旨の指示は、音素文字を追加する位置を移動する旨の指示を含む、請求項８に記載の文書の受付装置。
【請求項１０】
前記第２の記憶手段は、末尾が単語の区切りを表わす文字列として前記表示手段が表示した文字列を記憶するための手段を含む、請求項１に記載の文書の受付装置。
【請求項１１】
前記単語の区切りは、スペースを含む、請求項１０に記載の文書の受付装置。
【請求項１２】
前記音素文字は、アルファベットを含む、請求項１に記載の文書の受付装置。
【請求項１３】
情報を表示する表示ステップと、
音素文字で表わす単語を記憶する第１の記憶ステップと、
単語の少なくとも一部を音素文字で受付ける第１の受付ステップと、
前記第１の受付ステップにおいて単語の一部を受付けると、前記第１の記憶ステップにおいて記憶した単語を音素文字で表わす文字列を表示するように、前記表示ステップを制御する第１の制御ステップと、
前記表示ステップにおいて表示した文字列を文書の一部として記憶する第２の記憶ステップとを含む、文書の受付方法。
【請求項１４】
情報を表示する表示ステップと、
音素文字で表わす単語を記憶する第１の記憶ステップと、
単語の少なくとも一部を音素文字で受付ける第１の受付ステップと、
前記第１の受付ステップにおいて単語の一部を受付けると、前記第１の記憶ステップにおいて記憶した単語を音素文字で表わす文字列を表示するように、前記表示ステップを制御する第１の制御ステップと、
前記表示ステップにおいて表示した文字列を文書の一部として記憶する第２の記憶ステップとを含む各ステップをコンピュータに実行させるための文書の受付プログラム。
【請求項１５】
情報を表示する表示ステップと、
音素文字で表わす単語を記憶する第１の記憶ステップと、
単語の少なくとも一部を音素文字で受付ける第１の受付ステップと、
前記第１の受付ステップにおいて単語の一部を受付けると、前記第１の記憶ステップにおいて記憶した単語を音素文字で表わす文字列を表示するように、前記表示ステップを制御する第１の制御ステップと、
前記表示ステップにおいて表示した文字列を文書の一部として記憶する第２の記憶ステップとを含む各ステップをコンピュータに実行させるための文書の受付プログラムを記録したコンピュータ読取り可能な記録媒体。
【発明の詳細な説明】
【技術分野】
【０００１】
本発明は、文書の受付装置、文書の受付方法、文書の受付プログラム、および文書の受付プログラムを記録したコンピュータ読取可能な記録媒体に関し、特に、自然言語を変換できる文書の受付装置、文書の受付方法、文書の受付プログラム、および文書の受付プログラムを記録したコンピュータ読取可能な記録媒体に関する。
【背景技術】
【０００２】
携帯端末機でのメールなどのやりとりにより、文字を入力するための機能の充実化が図られている。今日では、ＡＩ（Artificial Intelligence）変換や推測変換により文書の作成が容易になっている。
【０００３】
特許文献１は、日本語で入力された読み文字列から日本語とその他の言語の文字列を同時に予測し、その両方の予測候補をユーザに提示する方法が記載されている。この発明によると、日本語で入力された読み文字列から日本語とその他の言語の文字列を同時に予測し、その両方の予測候補をユーザに提示できる。
【０００４】
特許文献２は、仮名漢字変換において信頼度が最も大きい候補を第一候補とし、画面上に表示する方式が記載されている。この発明によると、表示された候補がどれだけ信頼できる度合いで選択されたものかをユーザがより正確に確認できる。
【０００５】
特許文献３は、省入力変換により適切な変換候補に変換する方法が記載されている。この発明によると、操作者の欲する変換をより確実に実行させることができる。
【０００６】
しかしながら特許文献１〜特許文献３に開示された発明では、英文など音素文字により表わされる文章の作成に時間や手間がかかるという問題点がある。一方、文字入力において、和文のような表意文字により表わされる文章の作成に限らず、英文など音素文字により表わされる文章の作成においても、容易かつ効率的に入力できることが求められる。近年においては、Ｗ−ＣＤＭＡ（Wideband Code Division Multiple Access）やＣＤＭＡ２０００（Code Division Multiple Access 2000）により１つの携帯端末が世界中のどこでも使えるようになりつつあるからである。国内に限っても、携帯端末を所有する外国人は増加している。
【特許文献１】特開平１１−３３８８５８号公報
【特許文献２】特開平１０−２５４８７３号公報
【特許文献３】特開２０００−１２３００６号公報
【発明の開示】
【発明が解決しようとする課題】
【０００７】
本発明は上述の問題点を解決するためになされたものであって、その目的は、音素文字により表わされる文章を容易に作成できる文書の受付装置、文書の受付方法、文書の受付プログラム、および文書の受付プログラムを記録したコンピュータ読取可能な記録媒体を提供することにある。
【課題を解決するための手段】
【０００８】
上記目的を達成するために、本発明のある局面にしたがうと、文書の受付装置は、情報を表示するための表示手段と、音素文字で表わす単語を記憶するための第１の記憶手段と、単語の少なくとも一部を音素文字で受付けるための第１の受付手段と、第１の受付手段が単語の一部を受付けると、第１の記憶手段が記憶した単語を音素文字で表わす文字列を表示するように、表示手段を制御するための第１の制御手段と、表示手段が表示した文字列を文書の一部として記憶するための第２の記憶手段とを含む。
【０００９】
すなわち、第１の制御手段は、第１の受付手段が単語の一部を受付けると、第１の記憶手段が記憶した単語を音素文字で表わす文字列を表示するように、表示手段を制御する。第２の記憶手段は、表示手段が表示した文字列を文書の一部として記憶する。これにより、表示される文字列に基づいて、音素文字により表わされる単語を容易に入力できることとなる。その結果、音素文字により表わされる文章を容易に作成できる文書の受付装置を提供することができる。
【００１０】
また、上述の文書の受付装置は、第１の記憶手段が記憶した単語から、第１の受付手段が受付けた単語の一部を語頭のつづりとする検索単語を検索するための検索手段をさらに含むことが望ましい。第１の制御手段は、第１の記憶手段が記憶した単語のうち、検索単語を表わす文字列を表示するように、表示手段を制御するための手段を含むことが望ましい。
【００１１】
すなわち、検索手段は、第１の記憶手段が記憶した単語から、第１の受付手段が受付けた単語の一部を語頭のつづりとする検索単語を検索する。第１の制御手段は、第１の受付手段が単語の一部を受付けると、第１の記憶手段が記憶した単語のうち、検索単語を音素文字で表わす文字列を表示するように、表示手段を制御する。これにより、表示される文字列に基づいて、音素文字により表わされる単語を効率よくかつ容易に入力できることとなる。その結果、音素文字により表わされる文章を効率よくかつ容易に作成できる文書の受付装置を提供することができる。
【００１２】
また、上述の文書の受付装置は、第１の受付手段が受付けた単語の一部を語頭のつづりとする単語を第１の記憶手段が記憶する場合、単語を表示できる旨を表示するように、表示手段を制御するための第２の制御手段と、ユーザの指示を受付けるための第２の受付手段とをさらに含むことが望ましい。第１の制御手段は、第１の受付手段が単語の一部を受付けると、単語を表示させる旨の指示を第２の受付手段が受付けた後に、検索単語を表わす文字列を表示するように、表示手段を制御するための手段を含むことが望ましい。
【００１３】
すなわち、第１の制御手段は、第１の受付手段が単語の一部を受付けると、単語を表示させる旨の指示を第２の受付手段が受付けた後に、第１の記憶手段が記憶した単語のうち、検索単語を音素文字で表わす文字列を表示するように、表示手段を制御する。これにより、必要に応じて、文字列を表示させることができる。その結果、必要に応じて、音素文字により表わされる文章を効率よくかつ容易に作成できる文書の受付装置を提供することができる。
【００１４】
また、上述の第１の記憶手段は、表示手段が表示した時期に対応付けて単語を記憶するための手段を含むことが望ましい。第１の制御手段は、検索単語を表わす文字列を、表示手段が表示した時期に対応する順序で表示するように、表示手段を制御するための手段を含むことが望ましい。
【００１５】
すなわち、第１の制御手段は、検索単語を音素文字で表わす文字列を、表示手段が表示した時期に対応する順序で表示するように、表示手段を制御する。これにより、表示される文字列に基づいて、音素文字により表わされる単語をより効率よくかつ容易に入力できることとなる。その結果、必要に応じて、音素文字により表わされる文章をより効率よくかつ容易に作成できる文書の受付装置を提供することができる。
【００１６】
また、上述の文書の受付装置は、ユーザの指示を受付けるための第２の受付手段と、検索手段が検索した単語のいずれかを選択する旨の指示を第２の受付手段が受付けると、指示に対応する単語および区切りを表わす文字列を表示するように、表示手段を制御するための第３の制御手段とをさらに含むことが望ましい。第２の記憶手段は、表示手段が表示する文字列のうち、指示に対応する単語および区切りを表わす文字列を文書の一部として記憶するための手段を含むことが望ましい。
【００１７】
すなわち、検索手段は、第１の記憶手段が記憶した単語から、第１の受付手段が受付けた単語の一部を語頭のつづりとする検索単語を検索する。第１の制御手段は、第１の受付手段が単語の一部を受付けると、第１の記憶手段が記憶した単語のうち、検索単語を音素文字で表わす文字列を表示するように、表示手段を制御する。第３の制御手段は、検索手段が検索した単語のいずれかを選択する旨の指示を第２の受付手段が受付けると、指示に対応する単語および区切りを表わす文字列を表示するように、表示手段を制御する。第２の記憶手段は、表示手段が表示する文字列のうち、指示に対応する単語および区切りを表わす文字列を文書の一部として記憶する。これにより、表示される文字列に基づいて、音素文字により表わされる単語をより効率よくかつ容易に入力できることとなる。その結果、音素文字により表わされる文章をより効率よくかつ容易に作成できる文書の受付装置を提供することができる。
【００１８】
また、上述の文書の受付装置は、第１の受付手段が受付けた単語を表示するように、表示手段を制御するための第４の制御手段をさらに含むことが望ましい。第２の記憶手段は、第１の受付手段が単語を受付けると、所定の処理の後に、表示手段が表示した文字列のうち、第１の受付手段が受付けた単語を表わす文字列を記憶するための手段を含むことが望ましい。
【００１９】
また、上述の文書の受付装置は、ユーザの指示を受付けるための第２の受付手段をさらに含むことが望ましい。所定の処理は、入力する単語を決定する旨の指示を第２の受付手段が受付ける処理を含むことが望ましい。
【００２０】
また、上述の入力する単語を決定する旨の指示は、入力した単語にスペースを追加する旨の指示を含むことが望ましい。
【００２１】
また、上述の入力した単語にスペースを追加する旨の指示は、音素文字を追加する位置を移動する旨の指示を含むことが望ましい。
【００２２】
また、上述の第２の記憶手段は、末尾が単語の区切りを表わす文字列として表示手段が表示した文字列を記憶するための手段を含むことが望ましい。
【００２３】
すなわち、第１の制御手段は、第１の受付手段が単語の一部を受付けると、第１の記憶手段が記憶した単語を音素文字で表わす文字列を表示するように、表示手段を制御する。第２の記憶手段は、末尾が単語の区切りを表わす文字列として表示手段が表示した文字列を、文書の一部として記憶する。これにより、表示される文字列に基づいて、音素文字により表わされる単語を効果的かつ容易に入力できることとなる。その結果、音素文字により表わされる文章を効果的かつ容易に作成できる文書の受付装置を提供することができる。
【００２４】
また、上述の単語の区切りは、スペースを含むことが望ましい。
【００２５】
すなわち、第１の制御手段は、第１の受付手段が単語の一部を受付けると、第１の記憶手段が記憶した単語を音素文字で表わす文字列を表示するように、表示手段を制御する。第２の記憶手段は、末尾がスペースを表わす文字列として表示手段が表示した文字列を、文書の一部として記憶する。これにより、表示される文字列に基づいて、音素文字により表わされる単語をより効果的かつ容易に入力できることとなる。その結果、音素文字により表わされる文章をより効果的かつ容易に作成できる文書の受付装置を提供することができる。
【００２６】
また、上述の音素文字は、アルファベットを含むことが望ましい。
【００２７】
本発明の他の局面にしたがうと、文書の受付方法は、情報を表示する表示ステップと、音素文字で表わす単語を記憶する第１の記憶ステップと、単語の少なくとも一部を音素文字で受付ける第１の受付ステップと、第１の受付ステップにおいて単語の一部を受付けると、第１の記憶ステップにおいて記憶した単語を音素文字で表わす文字列を表示するように、表示ステップを制御する第１の制御ステップと、表示ステップにおいて表示した文字列を文書の一部として記憶する第２の記憶ステップとを含む。
【００２８】
すなわち、音素文字により表わされる文章を容易に作成できる文書の受付方法を提供することができる。
【００２９】
本発明の他の局面にしたがうと、文書の受付プログラムは、情報を表示する表示ステップと、音素文字で表わす単語を記憶する第１の記憶ステップと、単語の少なくとも一部を音素文字で受付ける第１の受付ステップと、第１の受付ステップにおいて単語の一部を受付けると、第１の記憶ステップにおいて記憶した単語を音素文字で表わす文字列を表示するように、表示ステップを制御する第１の制御ステップと、表示ステップにおいて表示した文字列を文書の一部として記憶する第２の記憶ステップとを含む各ステップをコンピュータに実行させる。
【００３０】
すなわち、音素文字により表わされる文章を容易に作成できる文書の受付プログラムを提供することができる。
【００３１】
本発明の他の局面にしたがうと、記録媒体は、文書の受付プログラムを記録した、コンピュータ読取り可能な記録媒体である。記録媒体は、情報を表示する表示ステップと、音素文字で表わす単語を記憶する第１の記憶ステップと、単語の少なくとも一部を音素文字で受付ける第１の受付ステップと、第１の受付ステップにおいて単語の一部を受付けると、第１の記憶ステップにおいて記憶した単語を音素文字で表わす文字列を表示するように、表示ステップを制御する第１の制御ステップと、表示ステップにおいて表示した文字列を文書の一部として記憶する第２の記憶ステップとを含む各ステップをコンピュータに実行させるための文書の受付プログラムを記録したコンピュータ読取り可能な記録媒体である。
【００３２】
すなわち、音素文字により表わされる文章を容易に作成できる文書の受付プログラムを記録したコンピュータ読取り可能な記録媒体を提供することができる。
【発明の効果】
【００３３】
本発明に係る文書の受付装置、文書の受付方法、文書の受付プログラム、および文書の受付プログラムを記録したコンピュータ読取可能な記録媒体は、音素文字により表わされる文章を容易に作成できる。
【発明を実施するための最良の形態】
【００３４】
以下、図面を参照しつつ、本発明の実施の形態について説明する。以下の説明では、同一の部品には同一の符号を付してある。それらの名称および機能も同一である。したがって、それらについての詳細な説明は繰返さない。
【００３５】
図１を参照して、本実施の形態に係る折りたたみ式携帯端末２０は、制御部２２と、制御部２２に接続された入力キー部２４と、制御部２２に接続されたメモリ２６と、制御部２２に接続されたディスプレイ２８と、制御部２２に接続された無線部３０と、無線部３０に接続されたアンテナ３２と、制御部２２に接続された音声部３４と、音声部３４に接続されたレシーバ３６と、音声部３４に接続されたスピーカ３８と、制御部２２に接続されたカードリーダ４０とを含む。この折りたたみ式携帯端末２０は、メールの送信などのための、文書の受付装置でもある。
【００３６】
制御部２２は、折りたたみ式携帯端末２０の各部を制御する。入力キー部２４は、ユーザからの入力を受付ける。受付けられた文字は、後述するデータベースを用いて検索するための検索ワードとなる。メモリ２６は、データベースおよび制御部２２が折りたたみ式携帯端末２０の各部を制御するために必要なデータを記憶する。本実施の形態において、「データベース」とは、入力された単語の履歴を表わすデータの集合体を指す。ディスプレイ２８は、各種の情報を表示する。表示される情報には、入力キー部２４により受付けられた文字を表わす情報も含まれる。無線部３０は、アンテナ３２が受信した電波から信号を抽出する。アンテナ３２は、電波を受信する。音声部３４は、レシーバ３６が受付けた信号を制御部２２が利用できる信号に変換する。音声部３４は、制御部２２が出力した信号をスピーカ３８が再変換できる信号に変換する回路でもある。レシーバ３６は、音声を信号に変換する。スピーカ３８は、信号を音声に変換する。カードリーダ４０は、記録媒体であるメモリカード７２を装着する。カードリーダ４０は、メモリカード７２から情報を読出す。
【００３７】
メモリ２６は、第１の領域および第２の領域を含む。第１の領域は、過去に入力された単語（本実施の形態の場合、この単語は、音素文字で表わす単語である）を表わすデータを、ディスプレイ２８が表示した時期に対応付けて記憶する。本実施の形態の場合、第１の領域は、各単語のデータを、ディスプレイ２８が表示した順に記憶する。これにより第１の領域は上述した対応付けを実現している。このように対応付けが実現されているので、第１の領域が記憶するデータは、過去に入力された単語の履歴を表わすデータとなっている。第２の領域は、通信や登録のためのデータを記憶する。
【００３８】
図２を参照して、折りたたみ式携帯端末２０は、上本体４２と、下本体４４と、ヒンジ４６とを含む。上本体４２は、ディスプレイ２８およびスピーカ３８を固定する。下本体４４は、入力キー部２４およびレシーバ３６を固定する。ヒンジ４６は、上本体４２および下本体４４を接続する。上本体４２および下本体４４は、ヒンジ４６の軸を中心として回転できる。回転できる角度は所定の範囲に限られる。
【００３９】
入力キー部２４は、上キー５０と、下キー５２と、左キー５４と、右キー５６と、決定キー５８と、クリアキー６０と、文字キー６２とを含む。
【００４０】
上キー５０は、ディスプレイ２８に表示されたカーソルなどを上に移動させる旨の指示を受付ける。下キー５２は、ディスプレイ２８に表示されたカーソルなどを下に移動させる旨の指示を受付ける。左キー５４は、ディスプレイ２８に表示されたカーソルなどを左に移動させる旨の指示を受付ける。右キー５６は、ディスプレイ２８に表示されたカーソルなどを右に移動させる旨の指示を受付ける。決定キー５８は、ユーザの指示を受付ける。本実施の形態において、決定キー５８は、制御部２２が実行するプログラムの制御に応じて、２種類の指示のいずれかを受付ける。第１の指示は、検索した単語のいずれかを選択する旨の指示である。第２の指示は、入力する単語を決定する旨の指示である。決定キー５８は、必要に応じてこの他の指示を受付けることもできる。クリアキー６０は、既に実施した入力を取消す旨を受付ける。文字キー６２は、ユーザが入力しようとする文字の指定を受付ける。
【００４１】
文字キー６２は、スペースキー７０を含む。スペースキー７０は、入力時に１文字分の空白を開ける旨および予め定められた処理（この処理は、制御部２２が実施するプログラムにおいて定められている。この処理を定めるのは、制御部２２が実施するプログラムの設計者である。）を実施する旨のいずれかの指示を受付ける。
【００４２】
本実施の形態にかかる折りたたみ式携帯端末２０において、入力された文字を変換する処理は、折りたたみ式携帯端末２０のハードウェアと制御部２２により実行されるソフトウェアとにより実現される。一般的にこうしたソフトウェアは、メモリカード７２などの記録媒体に格納されて流通し、カードリーダ４０などにより記録媒体から読取られてメモリ２６に一旦格納される。さらに上述した制御部２２により実行される。上述した折りたたみ式携帯端末２０のハードウェア自体は一般的なものである。したがって、本発明の最も本質的な部分は、メモリカード７２などの記録媒体に記録されたソフトウェアである。なお、折りたたみ式携帯端末２０自体の動作は周知であるので、ここではその詳細な説明は繰返さない。
【００４３】
図３を参照して、折りたたみ式携帯端末２０で実行されるプログラムは、入力された文字の変換に関し、以下のような制御構造を有する。
【００４４】
ステップ１００（以下、ステップをＳと略す。）にて、文字キー６２はユーザから文字の入力を受付ける。この時受付けられる文字は、単語の一部を表わす音素文字（本実施の形態の場合、アルファベット）である。文字キー６２が文字の入力（すなわち単語の一部）を受付けると、制御部２２は、入力された文字を表示するように、ディスプレイ２８を制御する。
【００４５】
Ｓ１０２にて、制御部２２は、受付けられた文字を検索ワードの語頭として、メモリ２６の第１の領域が記憶したデータベースが含む単語から、文字キー６２が受付けた単語の一部を語頭のつづりとする検索単語を検索する。検索単語が検索されると、制御部２２は、検索がヒットしたか否か（入力された語のデータがデータベースに記憶された履歴のデータに含まれているか否か）を判断する。検索がヒットしたと判断した場合には（Ｓ１０２にてＹＥＳ）、処理はＳ１０４へ移される。もしそうでないと（Ｓ１０２にてＮＯ）、処理はＳ１１８へ移される。Ｓ１０４にて、制御部２２は、ディスプレイ２８の下部の中央に履歴を表示できる旨を表示するように、ディスプレイ２８を制御する。
【００４６】
Ｓ１０６にて、入力キー部２４はユーザから文字の入力を受付ける。制御部２２は、下キー５２が押されたか否かを判断する。下キー５２が押されたと判断した場合には（Ｓ１０６にてＹＥＳ）、処理はＳ１０８へ移される。もしそうでないと（Ｓ１０６にてＮＯ）、処理はＳ１１０へ移される。Ｓ１０８にて、制御部２２は、ディスプレイ２８上に履歴ウィンドウ８０を表示させる。履歴ウィンドウ８０が表示されると、入力キー部２４は、ユーザの入力を受付ける。ユーザは、上キー５０および下キー５２のいずれかを押すことにより、履歴ウィンドウ８０が含む語句の一覧のうち、目的の語句に選択バー８２を移動させる。選択バー８２が目的の語句の位置に移動すれば、ユーザは、決定キー５８を押し、選択する語句を確定することとなる。
【００４７】
Ｓ１１０にて、制御部２２は、右キー５６または決定キー５８が押されたか否かを判断する。右キー５６または決定キー５８が押されたと判断した場合には（Ｓ１１０にてＹＥＳ）、処理はＳ１１４へ移される。もしそうでないと（Ｓ１１０にてＮＯ）、処理はＳ１００へ移される。
【００４８】
Ｓ１１２にて、制御部２２は、決定キー５８が押されたか否かを判断する。制御部２２は、クリアキー６０が押されると、決定キー５８が押されなかった（語句の一覧にユーザが目的とする語句が存在しない）とみなす。決定キー５８が押されたと判断した場合には（Ｓ１１２にてＹＥＳ）、処理はＳ１１４へ移される。もしそうでないと（Ｓ１１２にてＮＯ）、処理はＳ１１８へ移される。Ｓ１１４にて、制御部２２は、選択バー８２がある位置に表示された語句（履歴や選択バー８２が表示されていない場合、ディスプレイ２８に表示中であってまだメモリ２６に記憶されていない語句）のデータを、メモリ２６のデータベースに追加する。あわせて、制御部２２は、その語句の末尾にスペースを追加した文字列のデータを、メモリ２６の、通信や登録のための領域にも記憶させる。制御部２２は、その語句の末尾にスペースを追加した文字列を、ディスプレイ２８に表示させる（履歴や選択バー８２が表示されていない場合、制御部２２は、選択バー８２がある位置に表示された語句などを表示させることに代えて、ディスプレイ２８に表示中であってまだメモリ２６に記憶されていない語句にスペースを追加する）。
【００４９】
Ｓ１１６にて、制御部２２は、入力を終了するのか否かを判断する。入力を終了すると判断した場合には（Ｓ１１６にてＹＥＳ）、処理は終了する。もしそうでないと（Ｓ１１６にてＮＯ）、処理はＳ１００へ移される。
【００５０】
Ｓ１１８にて、制御部２２は、履歴ウィンドウ８０を閉じるように、ディスプレイ２８を制御する。履歴ウィンドウ８０が閉じられると、入力キー部２４は、ユーザから文字の入力を受付ける。
【００５１】
Ｓ１２０にて、制御部２２は、右キー５６または決定キー５８が押されたか否か（入力が確定したか否か）を判断する。右キー５６または決定キー５８が押されたと判断した場合には（Ｓ１２０にてＹＥＳ）、処理はＳ１１４へ移される。もしそうでないと（Ｓ１２０にてＮＯ）、処理はＳ１１８へ移される。
【００５２】
以上のような構造およびフローチャートに基づく、折りたたみ式携帯端末２０の動作について説明する。
【００５３】
［履歴を表示する場合］
履歴を表示できる場合に”interested”と入力するための変換処理について説明する。
【００５４】
文字キー６２はユーザから文字”ｉ”の入力を受付ける（Ｓ１００）。入力が受付けられると、制御部２２は、メモリ２６の第１の領域が記憶したデータベースが含む単語から、文字キー６２が受付けた単語の一部を語頭のつづりとする検索単語を検索する。検索単語が検索されると、制御部２２は、検索がヒットしたか否かを判断する（Ｓ１０２）。検索がヒットしたと判断した（すなわち、文字キー６２が受付けた単語の一部を語頭のつづりとする単語をメモリ２６の第１の領域が記憶する）場合には（Ｓ１０２にてＹＥＳ）、制御部２２は、ディスプレイ２８の下部の中央に履歴（ひいては、文字キー６２が受付けた単語の一部を語頭のつづりとする単語）を表示できる旨を表示するように、ディスプレイ２８を制御する（Ｓ１０４）。図４は、履歴の表示が可能である旨が表示されたディスプレイ２８の画面を表わす。
【００５５】
履歴の表示が可能である旨が表示されると、制御部２２は、下キー５２が押されたか否かを判断する（Ｓ１０６）。ここでユーザはさらに一字“n”を入力したこととする。“i”だけでは絞込みが十分ではないと考えたためである。下キー５２が押されなかったと判断されるので（Ｓ１０６にてＮＯ）、“n”の入力が受付けられると、制御部２２は、右キー５６または決定キー５８が押されたか否かを判断する（Ｓ１１０）。右キー５６または決定キー５８は押されていないので（Ｓ１１０にてＮＯ）、Ｓ１００〜Ｓ１０２の処理を経て、制御部２２は、ディスプレイ２８の下部の中央に履歴の表示が可能である旨を再び表示させる（Ｓ１０４）。図５は、履歴の表示が可能である旨が再び表示されたディスプレイ２８の画面を表わす。
【００５６】
履歴の表示が可能である旨が表示されると、制御部２２は、下キー５２が押されたか否かを判断する（Ｓ１０６）。ここで下キー５２が押されたと判断されると（Ｓ１０６にてＹＥＳ）、制御部２２は、ディスプレイ２８上に履歴ウィンドウ８０を表示させる。これにより、本実施の形態の場合、制御部２２は、文字キー６２が単語の一部を受付けると、単語を表示させる旨のユーザの指示を文字キー６２以外の入力キー部２４（このステップの場合下キー５２）が受付けた後に、検索単語を表わす文字列を表示するように、ディスプレイ２８を制御することとなる。その上制御部２２は、検索単語を表わす文字列を、ディスプレイ２８が表示した時期に対応する順序（本実施の形態の場合、ディスプレイ２８が表示した時期が新しい単語を優先する順序）で表示するように、ディスプレイ２８を制御することとなる。図６は、履歴ウィンドウ８０が表示されたディスプレイ２８の画面を表わす。これにより、制御部２２は、入力キー部２４が文字の入力（すなわち単語の一部）を受付けると、メモリ２６の第１の領域が記憶した単語を音素文字で表わす文字列（特に、メモリ２６の第１の領域が記憶した単語のうち検索単語を表わす文字列）を表示するように、ディスプレイ２８を制御することとなる。履歴ウィンドウ８０が表示されると、入力キー部２４は、ユーザの入力を受付ける。ユーザは、上キー５０および下キー５２のいずれかを押すことにより、履歴ウィンドウ８０が含む語句の一覧のうち、目的の語句に選択バー８２を移動させる（Ｓ１０８）。図７は、選択バー８２が移動した後のディスプレイ２８の画面を表わす。選択バー８２の移動に伴い、入力される文字は図６に示した”in”から”interested”に変更されている。
【００５７】
選択バー８２が目的の語句の位置に移動すれば、ユーザは、選択する語句を確定するために、決定キー５８を押す。制御部２２は、決定キー５８が押されたか否かを判断する（Ｓ１１２）。決定キー５８が押されたと判断するので（Ｓ１１２にてＹＥＳ）、制御部２２は、選択バー８２がある位置に表示された語句のデータを、メモリ２６の第１の領域のデータベースに追加する。あわせて、制御部２２は、その語句の末尾にスペースを追加した文字列（すなわちディスプレイ２８が表示した文字列）のデータ（すなわち、末尾が単語の区切りを表わす文字列としてディスプレイ２８が表示した文字列）を、文書の一部として、メモリ２６の第２の領域にも記憶させる。本実施の形態において、このスペースは、単語の区切りを表わす文字列となる。制御部２２は、その語句の末尾にスペースを追加した文字列を、ディスプレイ２８に表示させる（Ｓ１１４）。図８は、文字列”interested”およびスペース８４が表示された後のディスプレイ２８の画面を表わす。これにより、制御部２２は、自らが検索した単語のいずれかを選択する旨のユーザの指示を文字キー６２以外の入力キー部２４（このステップの場合決定キー５８）が受付けると、その指示に対応する単語および区切りを表わす文字列を表示するように、ディスプレイ２８を制御することとなる。
【００５８】
文字列のデータが記憶されると、制御部２２は、入力を終了するのか否かを判断する（Ｓ１１６）。入力が続く場合（Ｓ１１６にてＮＯ）、入力キー部２４はユーザから文字の入力を受付ける（Ｓ１００）。
【００５９】
［履歴を表示しない場合］
次に、履歴を表示しない場合に”I have”と入力するための変換処理について説明する。
【００６０】
文字キー６２はユーザから文字”I”の入力を受付ける（Ｓ１００）。入力が受付けられると、制御部２２は、受付けられた文字を検索ワードの語頭として、メモリ２６が記憶するデータベースを検索する。データベースが検索されると、制御部２２は、検索がヒットしたか否かを判断する（Ｓ１０２）。検索がヒットしたと判断した場合には（Ｓ１０２にてＹＥＳ）、制御部２２は、ディスプレイ２８の下部の中央に履歴の表示が可能である旨を表示させる（Ｓ１０４）。
【００６１】
履歴の表示が可能である旨が表示されると、制御部２２は、下キー５２が押されたか否かを判断する（Ｓ１０６）。ここでユーザは右キー５６（決定キー５８でもよい）を押したこととする。下キー５２が押されなかったと判断されるので（Ｓ１０６にてＮＯ）、制御部２２は、右キー５６または決定キー５８が押されたか否かを判断する（Ｓ１１０）。右キー５６または決定キー５８が押されたので（Ｓ１１０にてＹＥＳ）、制御部２２は、表示中の語句のデータを、メモリ２６のデータベースに追加する。あわせて、制御部２２は、その語句の末尾にスペースを追加した文字列のデータを、メモリ２６の、通信や登録のための領域にも記憶させる。制御部２２は、表示中の語句の末尾にスペースを追加する（Ｓ１１４）。図９は、文字列”I”およびスペース８４が表示された後のディスプレイ２８の画面を表わす。
【００６２】
文字列のデータが記憶されると、制御部２２は、入力を終了するのか否かを判断する（Ｓ１１６）。この場合、入力が続くので（Ｓ１１６にてＮＯ）、文字キー６２はユーザから文字”h”の入力を受付ける（Ｓ１００）。入力が受付けられると、Ｓ１００〜Ｓ１１０の処理が繰返される。その結果、“a”、“v”、および“e”の入力が受付けられる。図１０〜図１３は、これらの文字がそれぞれ表示された時点のディスプレイ２８の画面を表わす。これにより、制御部２２は、文字キー６２が受付けた単語を表示するように、ディスプレイ２８を制御することとなる。
【００６３】
“e”の入力が受付けられた後（Ｓ１００）、Ｓ１０２〜Ｓ１０４の処理を経て、入力キー部２４はユーザから文字の入力を受付ける。ここでユーザは右キー５６（決定キー５８でもよい）を押したこととする。制御部２２は、下キー５２が押されたか否かを判断する（Ｓ１０６）。下キー５２は押されていないので（Ｓ１０６にてＮＯ）、Ｓ１１０の処理を経て、制御部２２は、表示中の語句のデータを、メモリ２６のデータベースに追加する。あわせて、制御部２２は、その語句の末尾にスペースを追加した文字列のデータを、メモリ２６の、通信や登録のための領域にも記憶させる。制御部２２は、表示中の語句の末尾にスペースを追加する（Ｓ１１４）。これにより、文字キー６２以外の入力キー部２４は、音素文字を追加する位置を移動することにより、入力した単語にスペースを追加する旨の指示を受付けることとなる。また、メモリ２６の第２の領域は、文字キー６２が単語を受付けると、所定の処理の後に、ディスプレイ２８が表示した文字列のうち、文字キー６２が受付けた単語を表わす文字列を記憶することとなる。本実施の形態において、「所定の処理」とは文字キー６２以外の入力キー部２４（このステップの場合右キー５６または決定キー５８）が入力する単語を決定する旨の指示を受付ける処理のことである。このステップにおいて「入力する単語を決定する旨の指示」とは、入力した単語にスペースを追加する旨の指示のことである。図１４は、文字列”I_have_”（「_」スペース８４が挿入されていることを表わす）が表示された後のディスプレイ２８の画面を表わす。
【００６４】
以上のようにして、本案施の形態に係る折りたたみ式携帯端末は、履歴を表示し、スペースを追加する処理をすることができる。履歴が表示され、スペースが追加されるので、英字など音素文字を用いて文章を作成する際に、単語を入力するための手間を省き、文章の作成を容易にすることができる。文書を英文などで作成する（英字入力モードなどにする）場合、従来、特別なキーを押し下すことにより入力を確定させていた。本実施の形態にかかる折りたたみ式携帯端末は、この代わりに、右キーまたは決定キーを押し下げた場合に入力を確定させることとする。確定される前の語句は入力された文字列を語頭とした履歴探索ワードとする。履歴一覧より語句を決定するには、下キーを押し下す。履歴から文字を選択・決定した場合、語尾にスペースを付加することによりその入力の手間を省く。これにより、少ない手間で英単語を入力することができる。文章を容易に作成することもできる。文章作成時間の短縮が図れるため、電池の長持ちにも繋がる。その結果、少ない手間で英単語を入力することができるとともに、文章の作成も容易にすることができる（音素文字により表わされる文章をより効率よくかつ容易に作成できる）折りたたみ式携帯端末を提供できる。
【００６５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００６６】
【図１】本発明の実施の形態に係る折りたたみ式携帯端末の制御ブロック図である。
【図２】本発明の実施の形態に係る折りたたみ式携帯端末の正面図である。
【図３】本発明の実施の形態に係る変換処理の制御の手順を示すフローチャートである。
【図４】本発明の実施の形態に係るディスプレイに履歴の表示が可能である旨が表示された時点の画面を表わす図である。
【図５】本発明の実施の形態に係るディスプレイに履歴の表示が可能である旨が再び表示された時点の画面を表わす図である。
【図６】本発明の実施の形態に係るディスプレイに履歴ウィンドウが表示された時点の画面を表わす図である。
【図７】本発明の実施の形態に係るディスプレイの選択バーが移動した後の画面を表わす図である。
【図８】本発明の実施の形態に係るディスプレイに”ｉｎｔｅｒｅｓｔｅｄ”に続いてスペースが表示された時点の画面を表わす図である。
【図９】本発明の実施の形態に係るディスプレイに”Ｉ”およびスペースが表示された時点の画面を表わす図である。
【図１０】本発明の実施の形態に係るディスプレイに”ｈ”が表示された時点の画面を表わす図である。
【図１１】本発明の実施の形態に係るディスプレイに”ａ”が表示された時点の画面を表わす図である。
【図１２】本発明の実施の形態に係るディスプレイに”ｖ”が表示された時点の画面を表わす図である。
【図１３】本発明の実施の形態に係るディスプレイに”ｅ”が表示された時点の画面を表わす図である。
【図１４】本発明の実施の形態に係るディスプレイに”ｈａｖｅ”に続いてスペースが表示された時点の画面を表わす図である。
【符号の説明】
【００６７】
２０  折りたたみ式携帯端末、２２  制御部、２４  入力キー部、２６  メモリ、２８  ディスプレイ、３０  無線部、３２  アンテナ、３４  音声部、３６  レシーバ、３８  スピーカ、４０  カードリーダ、４２  上本体、４４  下本体、４６  ヒンジ、５０  上キー、５２  下キー、５４  左キー、５６  右キー、５８  決定キー、６０  クリアキー、６２  文字キー、７０  スペースキー、７２  メモリカード、８０  履歴ウィンドウ、８２  選択バー、８４  スペース。
【図１】
2006171879.tif 000003
【図２】
2006171879.tif 000004
【図３】
2006171879.tif 000005
【図４】
2006171879.tif 000006
【図５】
2006171879.tif 000007
【図６】
2006171879.tif 000008
【図７】
2006171879.tif 000009
【図８】
2006171879.tif 000010
【図９】
2006171879.tif 000011
【図１０】
2006171879.tif 000012
【図１１】
2006171879.tif 000013
【図１２】
2006171879.tif 000014
【図１３】
2006171879.tif 000015
【図１４】
2006171879.tif 000016